(57)【要約】【課題】現在設定されている画像データの記録形式が、無線通信機能付きの記録媒体が自動転送する画像データの記録形式に合致するか否かを、ユーザに通知できるようにする。【解決手段】被写体を撮像する撮像素子１０２により得られた画像データを記録媒体に記録するビデオカメラにおいて、接続されている無線通信機能付きメモリカードが自動転送する画像データの記録形式を取得し、また、ビデオカメラで画像データを記録媒体に記録するのに設定されている画像データの記録形式を取得する。そして、取得した形式を比較して、その比較に応じた通知を行う。【選択図】図６
2014049897.tif 000002
【特許請求の範囲】
【請求項１】
無線通信機能付きの記録媒体が接続可能なデータ処理装置であって、
被写体を撮像する撮像手段により得られた画像データを記録媒体に記録する記録制御手段と、
接続されている無線通信機能付きの記録媒体が自動転送する画像データの記録形式を示す転送記録形式を取得する転送記録形式取得手段と、
前記記録制御手段が画像データを記録媒体に記録するのに設定されている画像データの記録形式を示す設定記録形式を取得する設定記録形式取得手段と、
前記転送記録形式取得手段で取得した転送記録形式と、前記設定記録形式取得手段で取得した設定記録形式とを比較して、その比較に応じた通知を行う第１の通知手段とを備えたことを特徴とするデータ処理装置。
【請求項２】
前記第１の通知手段は、前記設定記録形式取得手段で取得した設定記録形式が、前記転送記録形式取得手段で取得した転送記録形式に合致する場合、その旨を示すアイコン及びメッセージのうち少なくともいずれかを表示手段に表示することを特徴とする請求項１に記載のデータ処理装置。
【請求項３】
前記第１の通知手段は、前記設定記録形式取得手段で取得した設定記録形式が、前記転送記録形式取得手段で取得した転送記録形式に合致しない場合、その旨を示すアイコン及びメッセージのうち少なくともいずれかを表示手段に表示することを特徴とする請求項１又は２に記載のデータ処理装置。
【請求項４】
前記設定記録形式取得手段で取得した設定記録形式が、前記転送記録形式取得手段で取得した転送記録形式に合致しない場合、設定記録形式を転送記録形式に合致させるよう設定変更できるか否かについてさらに通知する第２の通知手段を備えたことを特徴とする請求項１乃至３のいずれか１項に記載のデータ処理装置。
【請求項５】
前記設定記録形式取得手段で取得した設定記録形式が、前記転送記録形式取得手段で取得した転送記録形式に合致しない場合で、設定記録形式を転送記録形式に合致させるよう設定変更できる場合、その設定変更を行うための設定画面を表示手段に表示する設定画面表示手段を備えたことを特徴とする請求項１乃至４のいずれか１項に記載のデータ処理装置。
【請求項６】
接続されている記録媒体が無線通信機能付きであるか否かを判定する判定手段を備え、
前記判定手段により無線通信機能付きの記録媒体が接続されていると判定した場合、前記転送記録形式取得手段が転送記録形式を取得し、前記設定記録形式取得手段が設定記録形式を取得し、前記第１の通知手段が通知を行うことを特徴とする請求項１乃至５のいずれか１項に記載のデータ処理装置。
【請求項７】
無線通信機能付きの記録媒体が接続可能なデータ処理装置で、被写体を撮像する撮像手段により得られた画像データを記録媒体に記録する記録制御手段を備えたデータ処理装置の制御方法であって、
接続されている無線通信機能付きの記録媒体が自動転送する画像データの記録形式を示す転送記録形式を取得する転送記録形式取得処理と、
前記記録制御手段が画像データを記録媒体に記録するのに設定されている画像データの記録形式を示す設定記録形式を取得する設定記録形式取得処理と、
前記転送記録形式取得処理で取得した転送記録形式と、前記設定記録形式取得処理で取得した設定記録形式とを比較して、その比較に応じた通知を行う通知処理とを有することを特徴とするデータ処理装置の制御方法。
【請求項８】
無線通信機能付きの記録媒体が接続可能なデータ処理装置を制御するためのプログラムであって、
被写体を撮像する撮像手段により得られた画像データを記録媒体に記録する記録制御手段と、
接続されている無線通信機能付きの記録媒体が自動転送する画像データの記録形式を示す転送記録形式を取得する転送記録形式取得手段と、
前記記録制御手段が画像データを記録媒体に記録するのに設定されている画像データの記録形式を示す設定記録形式を取得する設定記録形式取得手段と、
前記転送記録形式取得手段で取得した転送記録形式と、前記設定記録形式取得手段で取得した設定記録形式とを比較して、その比較に応じた通知を行う第１の通知手段としてコンピュータを機能させるためのプログラム。
【発明の詳細な説明】
【技術分野】
【０００１】
本発明は、無線通信機能付きの記録媒体が接続可能なデータ処理装置、その制御方法及びプログラムに関する。
【背景技術】
【０００２】
近年では、無線通信機能付きメモリカードが実用化されている（例えば特許文献１を参照）。また、特定のファイル名を有するファイルを記録すると、予めメモリカード内に設定されている送信先に、このファイルを自動的に無線送信する機能を有する無線通信機能付メモリカードが製品化されている。特定のファイル名とは、例えば“ＤＣＩＭ“等の特定のディレクトリ名内に記録されるファイルであって、その拡張子が”ＪＰＧ“、”ＭＯＶ”等のことである。この特定のファイル名等、無線送信させるための条件に合致しない形式で記録されたファイルは送信されない。
【０００３】
特許文献２には、サムネイル一覧表示画面に表示させる際、異なるデータ方式の情報が混在し表示できない場合には、表示できない旨の無効画像データを表示させる技術が開示されている。これにより、データ方式が異なる情報が記録されていても、簡単な構成で一覧表示が可能となる。
【先行技術文献】
【特許文献】
【０００４】
【特許文献１】特開２００２−００９６９０号公報
【特許文献２】特開２００５−７０８５８号公報
【発明の概要】
【発明が解決しようとする課題】
【０００５】
無線通信機能付きメモリカードをデジタルカメラに装着する際に、ユーザは撮影画像データを無線送信できるものと考える。
しかしながら、デジタルカメラにおいてメモリカードの無線送信条件に合致していない記録フォーマットが設定されている場合、ユーザがそのことに気付かず、いくら撮影しても撮影画像データが無線送信されないという状況が発生する。
【０００６】
本発明は上記のような点に鑑みてなされたものであり、現在設定されている画像データの記録形式が、無線通信機能付きの記録媒体が自動転送する画像データの記録形式に合致するか否かを、ユーザに通知できるようにすることを目的とする。
【課題を解決するための手段】
【０００７】
本発明のデータ処理装置は、無線通信機能付きの記録媒体が接続可能なデータ処理装置であって、被写体を撮像する撮像手段により得られた画像データを記録媒体に記録する記録制御手段と、接続されている無線通信機能付きの記録媒体が自動転送する画像データの記録形式を示す転送記録形式を取得する転送記録形式取得手段と、前記記録制御手段が画像データを記録媒体に記録するのに設定されている画像データの記録形式を示す設定記録形式を取得する設定記録形式取得手段と、前記転送記録形式取得手段で取得した転送記録形式と、前記設定記録形式取得手段で取得した設定記録形式とを比較して、その比較に応じた通知を行う第１の通知手段とを備えたことを特徴とする。
【発明の効果】
【０００８】
本発明によれば、現在ビデオカメラに設定されている画像データの記録形式が、無線通信機能付きの記録媒体が自動転送する画像データの記録形式に合致するか否かを、ユーザが容易に知ることができる。
【図面の簡単な説明】
【０００９】
【図１】第１の実施形態に係るデジタルビデオカメラの構成を示すブロック図である。
【図２】無線通信機能付きメモリカードを説明する図である。
【図３】メモリカードに記録するファイル構成を説明する図である。
【図４】無線通信機能付きメモリカードを装着したデジタルビデオカメラとサーバとを備えたネットワークシステムを示す図である。
【図５】第１の実施形態に係るデジタルビデオカメラによる制御を示すフローチャートである。
【図６】第１の実施形態における通知の例を示す図である。
【図７】第１の実施形態における通知の例を示す図である。
【図８】第２の実施形態に係るデジタルビデオカメラによる制御を示すフローチャートである。
【図９】第２の実施形態における通知の例を示す図である。
【図１０】第３の実施形態における通知の例を示す図である。
【図１１】第３の実施形態における通知の例を示す図である。
【図１２】静止画及び動画の両方が記録可能なモードである場合における通知の例を示す図である。
【発明を実施するための形態】
【００１０】
以下、添付図面を参照して、本発明の好適な実施形態について説明する。
（第１の実施形態）
＜デジタルビデオカメラの構成＞
図１に、第１の実施形態に係るデジタルビデオカメラ（以下、単にビデオカメラと称する）の構成を示す。本実施形態では、ビデオカメラが本発明を適用したデータ処理装置として機能する。
１１１はマイクロコンピュータであり、システム全体の制御を行う。１１３はフラッシュＲＯＭであり、マイクロコンピュータ１１１が実行するプログラム、及び各種パラメータ等が格納されている書き換え可能不揮発性メモリである。１１４はメモリであり、マイクロコンピュータ１１１や、後述する動画圧縮伸張回路１０６等が作業領域として使用する揮発性メモリである。１２１はバスである。
【００１１】
１０１はレンズユニットであり、集光のための固定レンズ群、変倍レンズ群、絞り、変倍レンズ群の動きで移動した結像位置を補正する機能と、焦点調節を行う機能とを兼ね備えた補正レンズ群により構成される。１０２は撮像手段である撮像素子であり、光学像を電気信号に変換する。１０３はカメラ信号処理回路であり、撮像素子１０２によって生成される電気信号に対して所定の色変換処理、縮小処理等の画像処理を行い、出力先に適した画像データを出力する。例えば解像度が１９２０×１０８０、フィールド周期が６０フィールドの画像データを、後述するビデオ信号処理回路１０５に出力する。一方、これよりも高解像である画像データを、後述する静止画圧縮伸張回路１３０に必要なタイミングで出力する。
【００１２】
１３０は静止画圧縮伸張回路であり、画像データから静止画データを生成し、メモリ１１４に書き込む。静止画データとして、ＪＰＥＧ（Joint Photographic Experts Group）形式の圧縮静止画データと、非圧縮形式（以降、ＲＡＷ形式とする）である非圧縮静止画データとを生成することが可能である。これらはマイクロコンピュータ１１１の指示に従った形式で生成される。また、ＪＰＥＧ形式とＲＡＷ形式とを同時に生成することも可能である。一方、メモリ１１４に格納された圧縮静止画データを読み込み、画像データに再生し、メモリ１１４に書き込む機能も兼ね備えている。
１０５はビデオ信号処理回路であり、カメラ信号処理回路１０３や、後述する動画圧縮伸張回路１０６からの画像データを受け、各ブロックに適した画像処理を行い出力する。また、ビデオ信号処理回路１０５は、ビットマップを重畳することができる。これにより、機器の状態、警告、各種設定画面等の表示を行う。
１０６は動画圧縮伸張回路であり、画像データをＭＰＥＧ２（Moving Picture Experts Group phase 2）方式で圧縮し、メモリ１１４に順次書き込む。一方、メモリ１１４に格納された圧縮ビデオデータを読み込み、画像データに再生し、ビデオ信号処理回路１０５に出力する機能も兼ね備えている。
【００１３】
１１５はメモリカードインターフェース（カードＩ／Ｆ）、１１６はメモリカードである。メモリカードインターフェース１１５は、メモリカード１１６を格納し、コマンドやデータを送受信する。メモリカード１１６は、ＳＤカードのようなメモリカードであり、圧縮静止画データや圧縮ビデオデータを、ＦＡＴファイルシステム等のコンピュータと互換のある所定フォーマットに従って記録するための記録媒体である。メモリカード１１６として、後述する無線通信機能付きメモリカード２０１を用いることができる。
【００１４】
１０７は表示手段である液晶パネルであり、ビデオ信号処理回路１０５から画像データを受けて表示させる。また、特に図示していないが、音声についてもマイクユニット、スピーカーや外部出力経路を設け、画像データと共に動画圧縮伸張回路１０６で圧縮、多重化される。
１１２はユーザが操作入力するための操作スイッチ群である。操作スイッチ群１１２には、上下左右を意味するスイッチや、決定を意味するスイッチが設けられ、各種設定画面にて選択肢を選択するＧＵＩ等に使用される。また、操作スイッチ群１１２には、主としてカメラ撮影を行うためのカメラモード、主として再生させるための再生モード、及び電源オフとするパワーオフモードを選択するためのスイッチも設けられている。カメラ撮影モードでは、主として動画像を記録する動画カメラモードと、静止画を記録する静止画カメラモードとを有する。
【００１５】
ここで、図３を参照して、静止画データや圧縮ビデオデータをメモリカード１１６に記録するときのファイル構成について説明する。
３０１はルートディレクトリであり、メモリカード１１６に記録される最上位のディレクトリである。
【００１６】
＜ＤＣＦ規格＞
３０２はディレクトリ名を“ＤＣＩＭ“とするＤＣＩＭディレクトリであり、ルートディレクトリ３０１下に配置される。ＤＣＩＭディレクトリ３０２は、デジタルカメラ用画像記録フォーマットであるＤＣＦ（Design rule for Camera File system）規格に準拠したディレクトリ群、及びファイル群を記録するためのディレクトリである。
３０３はディレクトリ名を“１０１ＣＡＮＯＮ“とするディレクトリであり、ＤＣＩＭディレクトリ３０２下に配置される。ディレクトリ３０３は、後述する画像ファイルを記録するディレクトリである。
３０４は圧縮静止画データのファイルである。ファイル名は４桁＋“．ＪＰＧ”であり、ピリオードより右の３文字を拡張子と称す。つまり“ＪＰＧ“が拡張子である。
３０５は非圧縮静止画データのファイルである。ファイル名は４桁＋“．ＲＡＷ”である。やはり“ＲＡＷ“が拡張子である。
３０６は圧縮ビデオデータのファイルである。ファイル名は４桁＋“．ＭＯＶ”である。やはり“ＭＯＶ“が拡張子である。
【００１７】
＜動画記録フォーマット規格＞
本実施形態では、以下に説明する動画記録フォーマット規格に従ったビデオ記録モードを有するものとする。この動画記録フォーマットをＳＤ記録フォーマットと称する。
３１０はディレクトリ名を“ＳＤ“とするＳＤディレクトリであり、ルートディレクトリ３０１下に配置される。ＳＤディレクトリ３１０は、ＳＤ記録フォーマットのファイル群を記録するディレクトリである。
３１１はディレクトリ名を“ＭＧＲ”とするＭＧＲディレクトリであり、ＳＤディレクトリ３１０下に配置される。ＭＧＲディレクトリ３１１は、後述するＳＤ用プログラム管理ファイルを記録するためのディレクトリである。
３１２はＭＧＲディレクトリ３１１下に記録されるファイルであり、ファイル名は“０００．ＭＧＲ”である。このファイルをＭＧＲファイルと称す。
３１３はディレクトリ名を“ＰＲＧ”＋３桁の数字とするＳＤディレクトリ３１０下に配置されるディレクトリであり、後述するＳＤ圧縮ビデオデータファイル、ＳＤビデオデータ情報ファイルを記録するためのディレクトリである。これをプログラムディレクトリと称す。プログラムディレクトリに記録できるＳＤ圧縮ビデオデータファイル数には規定があり、これを越えるときには番号の異なるプログラムディレクトリを作成し、その下にＳＤ圧縮ビデオデータファイル等記録する。
３１７はやはりプログラムディレクトリである。ＰＲＧ０００ディレクトリ３１０下のＳＤ圧縮ビデオデータファイル数が上限に達したとき作成する。（プログラムディレクトリ３１７内のファイル群は記載を省略する）
３１５はＳＤ圧縮ビデオデータファイル群であり、それぞれ３桁の数字＋“．ＭＯＶ”というファイルである。それぞれのファイルをＭＯＶファイルと称す。
３１６はＳＤ圧縮ビデオデータ情報ファイル群であり、それぞれ３桁の数字＋“．ＭＯＩ”というファイルである。ＭＯＩファイルと称す。同一番号のＭＯＶファイルとＭＯＩファイルがセットとなっている。例えば０００．ＭＯＶファイルに関する情報が、０００．ＭＯＩファイルに記録されている。ＭＯＩファイルには、対応するＭＯＶを再生するための情報が格納されている。例えば、特殊再生するためのIピクチャ位置を検索するためのテーブル等が記録されている。
３１４はプログラム情報ファイルであり、ファイル名は３桁の数字＋“．ＰＲＩ”である。プログラムファイル情報ファイルは、記録されているプログラムディレクトリ内に関する情報が記録されている。例えば、プログラム内のＭＯＶファイルの再生順序である。さらにプログラムの再生順序は、前述のＭＧＲファイルに記録される。ＭＧＲファイルと、各プログラム内のＰＲＩファイルによって、全体の再生順序が決定されるものである。
【００１８】
本実施形態に係るビデオカメラでは、静止画データのファイル形式として、ＤＣＦ規格に準拠するＪＰＥＧ形式及びＲＡＷ形式を選択することが可能である。また、圧縮ビデオデータのファイル形式として、ＤＣＦ規格準拠形式及びＳＤ記録フォーマット形式を選択することが可能である。いずれの記録形式とするかはユーザ操作に従って決定し、マイクロコンピュータ１１１が各部を制御する。
【００１９】
＜無線通信機能付きメモリカード＞
次に、図２を参照して、無線通信機能付きメモリカード２０１を説明する。
２０２は外部インターフェース部であり、ビデオカメラ側のメモリカードインターフェース１１５と接続し、通信するためのインターフェースである。２０３は制御部であり、システム全体を制御する。２０４はメモリ部であり、外部から受信するデータを記録する不揮発性メモリである。２０５は無線通信部であり、制御部２０３の指示に従って、無線接続可能な機器、サーバ等とデータ転送を行う。２０６は電波を送受信するアンテナである。
【００２０】
制御部２０３は、以下のような機能を有する。
無線通信機能を有するか否かを判定する問い合わせが、外部インターフェース部２０２を介してホスト側から発行されると、無線通信機能付きメモリカードであることを通知する。
また、後述するように自動転送する条件である画像データの記録形式を問い合わせるコマンドが発行されたとき、通知する機能も兼ね備えている。
また、無線通信部２０５、アンテナ２０６を介して画像データを送信する送信先を予め保持する機能を有する。送信先はメモリ部２０４に記録されている。これは、外部インターフェース部２０２を介してホスト側から受信するものであり、ユーザがパソコンと専用アプリケーションソフトウエア等の対応機器によって指定するものである。
また、メモリ部２０４に外部インターフェース部２０２を介して記録される画像データを解析する機能を有する。画像データの記録形式が、自動転送する条件である画像データの記録形式と合致するとき、すなわち記録されるファイル名が所定の条件を満たすとき、送信先に自動的にファイル転送を行う機能を有する。本実施形態では、“ＤＣＩＭ“というディレクトリ名以下に記録されるファイルであって、拡張子が”ＪＰＧ”、”ＭＯＶ”であるファイルであることを所定の条件とする。よって、静止画の場合、ＪＰＥＧ形式で記録すれば自動的にファイル転送が実行されるが、ＲＡＷ形式ではファイル転送されることはない。また、動画の場合、ＤＣＦ準拠形式では自動的にファイル転送が実行されるが、ＳＤ記録フォーマット形式ではファイル転送されることはない。
【００２１】
図４を参照して、無線通信機能付きメモリカードを装着したビデオカメラとサーバとを備えたネットワークシステムについて説明する。
４０１はネットワーク網である。４０２はアクセスポイントであり、端末間で通信接続するための電波中継機である。４０３は本実施形態に係るビデオカメラである。４０４、４０５はネットワーク網４０１に接続するサーバである。
無線通信機能付きメモリカード２０１は、ビデオカメラ４０３に装着されると、アクセスポイント４０２を介してネットワーク網４０１に接続する。例えば送信先がサーバ４０４に設定されている場合、画像記録を行うと、無線通信機能付きメモリカード２０１の自動転送機能によって画像ファイルがサーバ４０４に送信される。同様に、送信先がサーバ４０５に設定されている場合、画像記録を行うと、無線通信機能付きメモリカード２０１の自動転送機能によって画像ファイルがサーバ４０５に送信される。ただし、上述したように、静止画ではＲＡＷ形式、動画ではＳＤ記録フォーマット形式での画像ファイルは自動転送されることはない。
この場合に、無線通信機能付きメモリカード２０１を装着しても、ビデオカメラ４０３の設定で非対応形式（ＲＡＷ形式、ＳＤ記録フォーマット形式）が選択、設定されたままの場合がある。この場合、画像ファイルは自動転送されることはないが、ユーザがそのことに気付いていないという状況もありえる。
【００２２】
そこで、この問題を解決するべく、図５に示すように、ビデオカメラによる制御を実行する。以下、図５のフローチャートについて説明する。本実施形態では、図５のフローチャートは、ビデオカメラにおいて定期的に実行される。その他、電源投入時やメモリカードが装着されたタイミング、動画カメラモードや静止画カメラモードに移行したタイミングで実行してもよい。
ステップＳ５０１で、マイクロコンピュータ１１１は、メモリカードが装着されているか否かを判定する。メモリカードありと判定するとステップＳ５０２に遷移し、メモリカードなしと判定すると本制御を終了する。
【００２３】
ステップＳ５０２で、マイクロコンピュータ１１１は、装着されているメモリカードが無線通信機能付きであるか否かを判定する。無線通信機能付きであると判定するとステップＳ５０３に遷移し、無線通信機能なしと判定すると本制御を終了する。
【００２４】
ステップＳ５０３で、マイクロコンピュータ１１１は、無線転送フォーマット取得処理を実行する。無線転送フォーマット取得処理は、無線通信機能付きメモリカードが自動転送する画像データの記録形式（以下、「転送記録形式」と称する）を取得する転送記録形式取得処理である。本実施形態の場合、転送記録形式は、静止画ではＪＰＥＧ形式、動画ではＤＣＦ準拠形式となる。
【００２５】
また、ステップＳ５０４で、マイクロコンピュータ１１１は、記録フォーマット設定取得処理を実行する。記録フォーマット設定取得処理は、現在ビデオカメラに設定されている画像データの記録形式（以下、「設定記録形式」と称する）を取得する設定記録形式取得処理である。
【００２６】
次に、ステップＳ５０５で、マイクロコンピュータ１１１は、フォーマット比較を行う。ステップＳ５０３において取得した転送記録形式と、ステップＳ５０４において取得した設定記録形式との比較を行い、設定記録形式が転送記録形式に合致するか否か（設定記録形式が転送記録形式に含まれるか否か）を判定する。設定記録形式が転送記録形式に合致する（転送対応である）と判定するとステップＳ５０６へ遷移し、合致しない（転送非対応である）と判定するとステップＳ５０７へ遷移する。
ステップＳ５０６で、マイクロコンピュータ１１１は、転送対応通知処理を実行する。転送対応通知処理は、自動転送されることをユーザに通知する処理であり、その詳細は後述する。一方、ステップＳ５０７で、マイクロコンピュータ１１１は、転送非対応通知処理を実行する。転送非対応通知処理は、自動転送されないことをユーザに通知する処理であり、その詳細は後述する。
【００２７】
図６、図７を参照して、ステップＳ５０６及びステップＳ５０７の通知処理の例を説明する。
図６は、動画カメラモードにおける通知処理の例である。
動画カメラモードに移行すると、マイクロコンピュータ１１１はいわゆるスルー画像の撮影を開始する。６０１ａは被写体像を撮像素子１０２により撮像して得られたスルー画像である。ユーザは、このスルー画像を確認しながら所望のタイミングで動画データの撮影を指示し、動画データの記録を開始させることができる。
６０１ｂはビデオ信号処理回路１０５によってスルー画像６０１ａに重畳するビットマップである。６０２は動画カメラモードであることを通知するモード情報である。６０３は記録、記録一時停止等の記録状態を通知する記録状態情報である。６０４は記録可能時間を通知する記録可能時間情報である。６０５はバッテリ残量を通知するバッテリ残量表示である。その他、必要に応じて情報表示を行う。
６０１ｃはスルー画像６０１ａにビットマップ６０１ｂを重畳した表示映像であり、例えば液晶パネル１０７にこの映像６０１ｃが表示される。
６０１ｄはステップＳ５０６の転送対応通知処理による表示映像である。６０６＿１は転送対応アイコンであり、装着されたメモリカードが無線通信機能付きメモリカードで、設定記録形式が転送記録形式に合致していることを通知するビットマップである。
一方、６０１ｅはステップＳ５０７の転送非対応通知処理の表示映像である。６０２＿２は転送非対応アイコンであり、装着されたメモリカードが無線通信機能付きメモリで、設定記録形式が転送記録形式に合致していないことを通知するビットマップである。
このように、装着されたメモリカードが無線通信機能付きメモリカードである場合、設定記録形式が転送記録形式に合致しているか否かを、ユーザはアイコン表示で容易に知ることが可能なる。
また、６０１ｆは転送非対応時に警告処理を行うようにした表示映像であり、「記録形式が転送形式に設定されていません」等のメッセージ６０７を警告表示する。警告表示は所定時間継続してもよいし、又は所定の入力があるまで継続してもよい。このような警告表示を行うことで、より確実にユーザに通知することが可能となる。なお、所定時間経過後、又は所定の入力があると表示映像６０１ｅに戻る。
【００２８】
図７は、静止画カメラモードにおける通知処理の例である。なお、図６と同じものには同一の符号を付し、その説明を省略する。
７０２は静止画カメラモードであることを通知するモード情報である。７０４は記録可能枚数を通知する記録可能枚数情報である。
動画カメラモードの場合と同様に、アイコン６０６＿１及びアイコン６０６＿２によって、設定記録形式が転送記録形式に合致しているか否かを通知する。
【００２９】
なお、無線通信機能付きメモリカードの説明で、自動転送する条件である画像データの記録形式（転送記録形式）を問い合わせるコマンドが発行されたとき、通知する機能も兼ね備えているとした。他の判定方法として、例えばメモリカードの型式が取得可能であり、この型式から転送記録形式が判定できるようにしてもよい。
【００３０】
また、装着されているメモリカードが無線通信機能付きであると判定された場合にステップＳ５０２以降の処理を行うこととしたが、必ずしもこの条件で行う必要はない。以下、その一例を説明する。
例えばビデオカメラに無線通信機能付きメモリカードの無線通信機能のオン／オフを設定するメニューを設けてもよい。この設定がオフの場合、ビデオカメラは無線通信機能付きメモリカードに無線通信機能を停止する命令を送信し、無線通信機能付きメモリカードは無線通信機能を停止する。そして、この設定がオンに設定されたタイミングで、ステップＳ５０２以降の処理を実行する。このようにすることで、実質的に無線通信機能が有効である場合にのみ、図６、７に示したような通知を行うことが可能となり、よりユーザの利便性が向上する。
【００３１】
また、ステップＳ５０３において転送記録形式を取得する処理については、必ずしも記録形式そのものを取得する必要はない。例えばビデオカメラにおいてメモリカードのモデル名と転送記録形式とを関連付けておく。そして、ステップＳ５０３では、記録媒体からはモデル名を取得し、そのモデル名との関連付けから転送記録形式を割り出してもよい。このように、本実施形態に記載の方法に限らず、転送記録形式を取得する処理は種々の方法が考えられる。
【００３２】
以上説明したように、現在ビデオカメラに設定されている画像データの記録形式が、無線通信機能付きのメモリカードが自動転送する画像データの記録形式に合致するか否かを、スルー画像表示の時点でユーザが容易に知ることができる。したがって、自動転送可能であるメモリカードを装着したにもかかわらず、転送記録形式に合致しない設定記録形式となっていることを画像データの記録開始前に判断することが可能となり、設定記録形式を設定変更するといった対応が容易になる。
【００３３】
（第２の実施形態）
次に、第２の実施形態を説明する。なお、ビデオカメラや無線通信機能付きメモリカードの構成は第１の実施形態と同様であり、以下では、第１の実施形態との相違点と中心に説明し、第１の実施形態と共通する点の説明は省略する。
第１の実施形態では、自動転送可能であるメモリカードを装着されたとき、自動転送に合致しない記録形式が設定されていることを通知することは可能であるが、ユーザは、設定記録形式を転送記録形式に合致させるよう設定変更できるか否かを知ることができない。そこで、第２の実施形態では、設定記録形式を転送記録形式に合致させるよう設定変更できるか否かについてさらに通知するようにしている。
【００３４】
そこで、この問題を解決するべく、図８に示すように、ビデオカメラによる制御を実行する。以下、図８のフローチャートについて説明する。図８のフローチャートは、ビデオカメラにおいて定期的に実行される。なお、図５のフローチャートと同等の処理には、同一の符号を付し、その説明を省略する。
ステップＳ５０５において設定記録形式が転送記録形式に合致しない（転送非対応である）と判定するとステップＳ８１０へ遷移する。
ステップＳ８１０で、マイクロコンピュータ１１１は、設定記録形式を転送記録形式に合致させるよう設定変更できるか否かを判定する。設定変更不能であればステップＳ８１１へ遷移し、設定変更可能であればステップＳ８１２へ遷移する。
ステップ８１１で、マイクロコンピュータ１１１は、転送対応設定不可通知処理を実行する。転送対応設定不可通知処理は、転送記録形式に合致する記録形式を、ビデオカメラで設定できないことを通知する処理である。一方、ステップＳ８１２で、マイクロコンピュータ１１１は、対応設定可能通知処理を実行する。転送対応設定可能通知処理は、転送記録形式に合致する記録形式を、ビデオカメラで設定できることを通知する処理である。
【００３５】
図９を参照して、ステップＳ８１１及びステップＳ８１２の通知処理の例を説明する。図９において、図６と同一の符号を付したものは、同じものであるため説明を省略する。
図９は、動画カメラモードにおける通知処理の例である。
９０１ｇはステップＳ８１１の転送対応設定不可通知処理による表示映像である。９０７＿１は転送対応設定不可アイコンであり、転送記録形式に合致記録形式を、ビデオカメラで設定できないことを意味する。
また、９０１ｈは転送対応設定不可時に警告処理を行うようにした表示映像であり、「転送可能な記録形式がありません。」等のメッセージ９０８を警告表示する。警告表示は、所定時間継続してもよいし、又は所定の入力があるまで継続してもよい。このような警告表示を行うことで、より確実にユーザに通知することが可能となる。なお、所定時間経過後、又は所定の入力があると表示映像９０１ｇに戻る。
一方、９０１ｉはステップＳ８１２の転送対応設定可能通知処理による表示映像である。９０７＿２は転送対応設定可能アイコンであり、現在の設定記録形式では自動転送されないが、転送記録形式に合致する記録形式を、デジタルカメラで設定できることを意味する。
【００３６】
以上説明したように、自動転送する記録形式に合致するものが、デジタルカメラに存在するか否かを通知することが可能となり、さらに操作性の向上を図ることができる。
なお、ここでは動画カメラモードでの表示例を説明したが、静止画カメラモードでも同様の表示を行うことで、同じ効果が得られる。
【００３７】
（第３の実施形態）
次に、第３の実施形態を説明する。なお、ビデオカメラや無線通信機能付きメモリカードの構成は第１、２の実施形態と同様であり、以下では、第１、２の実施形態との相違点と中心に説明し、第１、２の実施形態と共通する点の説明は省略する。
第３の実施形態では、第２の実施形態で述べたように、設定記録形式が転送記録形式に合致しないが、転送記録形式に合致させるよう設定変更できる場合に、その設定変更を行うための設定画面を表示するようにしている。
【００３８】
図１０（ａ）、（ｂ）の表示映像１００１ａ、１００１ｂは、第２の実施形態で説明した転送対応設定可能通知処理による表示映像９０１ｉ（図９（ｄ））に対して、記録形式の設定変更を促すビットマップを追加した表示映像である。なお、図９と同一の符号を付したものは、同じであるため説明を省略する。
メッセージ表示領域１００２には「記録形式を変更しますか？」等のメッセージを表示し、ユーザに問い合わせる。また、“はい”ボタン１００３、“いいえ”ボタン１００５を表示し、カーソル１００４を合わせることでいずれか一方をユーザが選択し、決定することができる。
【００３９】
図１０（ｂ）の表示映像１００１ｂのように“はい”ボタン１００５が選択され、決定された場合、図１１の記録形式選択画面に遷移する。
図１１（ａ）に示すように、メッセージ表示領域１１０２には、記録形式選択というビットマップ表示を行い、記録形式選択をユーザに問い合わせる。記録形式として転送記録形式に合致する“ＤＣＦ”ボタン１１０３、“キャンセル”ボタン１１０４を表示し、カーソル１１０５を合わせることでいずれか一方をユーザが選択し、決定することができる。“ＤＣＦ”ボタン１１０３が選択され、決定された場合、転送記録形式に合致するＤＣＦ形式に記録形式が設定変更される。また、“キャンセル”ボタン１１０４が選択され、決定された場合、記録形式選択が中止される。
なお、転送記録形式でない記録形式、本例の場合ＳＤ記録フォーマット形式は選択肢として表示しないものとしたが、選択できない記録形式として表示するようにしてもよい。
【００４０】
図１１（ｂ）のメッセージ表示領域１１０２ｂは、静止画カメラモードでのものである。記録形式として転送記録形式に合致する“ＪＰＥＧ”ボタン１１０６、“ＪＰＥＧ＋ＲＡＷ”ボタン（ＪＰＥＧ形式とＲＡＷ形式の同時記録）１１０７、“キャンセル”ボタン１１０８を表示する。各ボタンにカーソル１１０９を合わせることでいずれかをユーザが選択し、決定することができる。
【００４１】
以上説明したように、設定記録形式が転送記録形式に合致しないが、転送記録形式に合致させるよう設定変更できる場合に、記録形式の設定変更を促すとともに、同じ画面上で設定変更させることができ、さらに操作性の向上を図ることができる。
【００４２】
なお、静止画カメラモード及び動画カメラモードを例に、それぞれの場合について説明してきたが、例えば動画カメラモードで静止画記録も可能であるビデオカメラにおいては、図１２に示すように両者の転送可能状態を表示しても良い。
表示映像１２０１は、図６（ｅ）の表示映像６０１ｅに対し、静止画記録の設定記録形式が転送記録形式に合致しているか否かを合わせて表示するようにした例である。
１２０７は静止画撮影も可能であることを示すアイコンのビットマップであり、１２０８は設定記録形式が転送記録形式に合致していることを示す転送対応アイコンのビットマップである。また、静止画記録設定が転送非対応である場合には、転送非対応アイコンに置き換えられる。
【００４３】
上記実施形態では、動画記録形式として、ＤＣＦ規格準拠形式及びＳＤ記録フォーマット形式として説明してきたが、これに限定するものではない。例えば、ＳＤＶＩＤＥＯ規格準拠形式やＡＶＣＨＤ規格準拠形式に対応する無線通信機能付きメモリカードとビデオカメラの組み合わせに適応しても良い。
【００４４】
以上述べた実施形態では、マイクロコンピュータ１１１の制御下で各部が協働することにより、本発明でいう記録制御手段、設定記録形式取得手段、転送記録形式取得手段、第１の通知手段、第２の通知手段、設定画面表示手段、及び判定手段として機能する。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2014049897.tif 000003
【図２】
2014049897.tif 000004
【図３】
2014049897.tif 000005
【図４】
2014049897.tif 000006
【図５】
2014049897.tif 000007
【図６】
2014049897.tif 000008
【図７】
2014049897.tif 000009
【図８】
2014049897.tif 000010
【図９】
2014049897.tif 000011
【図１０】
2014049897.tif 000012
【図１１】
2014049897.tif 000013
【図１２】
2014049897.tif 000014